(57)【要約】【課題】コストダウンを図ることができると共に、地震発生時でも安全な単管パイプ照明ユニット、単管パイプ照明具、及びそれらの取付構造を提供する。【解決手段】単管パイプ照明ユニット１においては、単管パイプ２と、単管パイプ２内に挿入され、単管パイプ２の内周面に固定された少なくとも一つの照明部材を備え、単管パイプ２における照明部材の外側に照明孔５を設けた。照明部材は、両端部にそれぞれソケット４が着脱自在に装着されたＬＥＤ蛍光灯３でもよいし、防水性を有していてもよい。単管パイプ照明具１１においては、複数の単管パイプ照明ユニット１を、少なくとも一つの連結部材１２、１３、１４を介して連結した。単管パイプ照明ユニットの取付構造や単管パイプ照明具の取付構造においては、単管パイプ照明ユニット又は単管パイプ照明具を、少なくとも一つの支持部材１６を介して建物の内側又は外側に取り付けた。【選択図】図４
2016024910.tif 000002
【特許請求の範囲】
【請求項１】
単管パイプと、
前記単管パイプ内に挿入され、前記単管パイプの内周面に固定された少なくとも一つの照明部材
を備え、
前記単管パイプにおける前記照明部材の外側に、前記照明部材から発した光が通過する少なくとも一つの照明孔を設けたことを特徴とする単管パイプ照明ユニット。
【請求項２】
前記照明部材が、両端部にそれぞれソケットが着脱自在に装着されたＬＥＤ蛍光灯である請求項１に記載の単管パイプ照明ユニット。
【請求項３】
前記照明部材が防水性を有する請求項１又は２に記載の単管パイプ照明ユニット。
【請求項４】
請求項１から３のいずれかに記載の複数の単管パイプ照明ユニットを、少なくとも一つの連結部材を介して連結したことを特徴とする単管パイプ照明具。
【請求項５】
請求項１から３のいずれかに記載の単管パイプ照明ユニットを、少なくとも一つの支持部材を介して建物の内側に取り付けたことを特徴とする単管パイプ照明ユニットの取付構造。
【請求項６】
請求項３に記載の単管パイプ照明ユニットを、少なくとも一つの支持部材を介して建物の外側に取り付けたことを特徴とする単管パイプ照明ユニットの取付構造。
【請求項７】
請求項４に記載の単管パイプ照明具を、少なくとも一つの支持部材を介して建物の内側に取り付けたことを特徴とする単管パイプ照明具の取付構造。
【請求項８】
請求項３に記載の複数の単管パイプ照明ユニットを、少なくとも一つの連結部材を介して連結した単管パイプ照明具を、少なくとも一つの支持部材を介して建物の外側に取り付けたことを特徴とする単管パイプ照明具の取付構造。
【発明の詳細な説明】
【技術分野】
【０００１】
本発明は、ソーラーパネルの架台や単管足場等の資材として使用可能な単管パイプを用いた単管パイプ照明ユニット、複数の単管パイプ照明ユニットを用いた単管パイプ照明具、及びそれらの取付構造に関するものである。
【背景技術】
【０００２】
従来のこの種の技術としては、照明具本体と、前記照明具本体に着脱自在に装着された少なくとも一つの蛍光灯を備えた複数の照明具を、天井面に設けたオフィスの照明システム（例えば、特許文献１参照。）等が知られている。
【先行技術文献】
【特許文献】
【０００３】
【特許文献１】特開平８−２４１６１０号公報（図１、図２、図３、等）
【発明の開示】
【発明が解決しようとする課題】
【０００４】
しかし、上記のような照明システムにおいては、比較的高価な照明具本体に蛍光灯を着脱自在に装着しているので、コストダウンを図りにくいと共に、地震発生時に蛍光灯が照明具本体から落下するおそれがあり、危険であるという問題点がある。
【０００５】
本発明は、以上のような事情や問題点に鑑みてなされたものであり、コストダウンを図ることができると共に、地震発生時でも安全な単管パイプ照明ユニット、単管パイプ照明具、及びそれらの取付構造を提供することを目的とする。
【課題を解決するための手段】
【０００６】
上記目的を達成するための単管パイプ照明ユニットに関する第１の発明は、
単管パイプと、
前記単管パイプ内に挿入され、前記単管パイプの内周面に固定された少なくとも一つの照明部材
を備え、
前記単管パイプにおける前記照明部材の外側に、前記照明部材から発した光が通過する少なくとも一つの照明孔を設けたものである。
【０００７】
第２の発明においては、前記照明部材が、両端部にそれぞれソケットが着脱自在に装着されたＬＥＤ蛍光灯である。
【０００８】
第３の発明は、前記照明部材が防水性を有するものである。
【０００９】
また、単管パイプ照明具に関する第４の発明は、第１から第３のいずれかの発明の複数の単管パイプ照明ユニットを、少なくとも一つの連結部材を介して連結したものである。
【００１０】
更に、単管パイプ照明ユニットの取付構造に関する第５の発明は、第１から第３のいずれかの発明の単管パイプ照明ユニットを、少なくとも一つの支持部材を介して建物の内側に取り付けたものである。
【００１１】
第６の発明は、第３の発明の単管パイプ照明ユニットを、少なくとも一つの支持部材を介して建物の外側に取り付けたものである。
【００１２】
また、単管パイプ照明具の取付構造に関する第７の発明は、第４の発明の単管パイプ照明具を、少なくとも一つの支持部材を介して建物の内側に取り付けたものである。
【００１３】
第８の発明は、第３の発明の複数の単管パイプ照明ユニットを、少なくとも一つの連結部材を介して連結した単管パイプ照明具を、少なくとも一つの支持部材を介して建物の外側に取り付けたものである。
【発明の効果】
【００１４】
第１の発明によれば、比較的安価な単管パイプの内周面に照明部材が固定されているので、コストダウンを図ることができると共に、地震発生時でも照明部材が単管パイプから落下するおそれがなく、安全である。
【００１５】
第２の発明によれば、低消費電力化、高輝度化、長寿命化、及び低発熱化を図ることができる。
【００１６】
第３の発明によれば、建物の内側の他、建物の外側にも設置することができる。
【００１７】
第４の発明によれば、第１〜第３の発明の効果に加え、複数の単管パイプ照明ユニットを、少なくとも一つの連結部材を介して連結することにより、所望の形状に形成することができる。
【００１８】
第５の発明によれば、単管パイプ照明ユニットを建物の内側に設置することができる。
【００１９】
第６の発明によれば、単管パイプ照明ユニットを建物の外側に設置することができる。
【００２０】
第７の発明によれば、所望の形状に形成した単管パイプ照明具を建物の内側に設置することができる。
【００２１】
第８の発明によれば、所望の形状に形成した単管パイプ照明具を建物の外側に設置することができる。
【図面の簡単な説明】
【００２２】
【図１】第１実施形態の単管パイプ照明ユニットの斜視図である。
【図２】図１の単管パイプ照明ユニットの底面図である。
【図３】図１の単管パイプ照明ユニットの正面図である。
【図４】図３の内部機構を省略したＡ−Ａ線断面図である。
【図５】図１の単管パイプ照明ユニットの右側面図である。
【図６】図５の内部機構を省略したＢ−Ｂ線断面図である。
【図７】単管パイプ照明具を建物の天井に複数の支持部材を介して取り付けた状態を示す底面図である。
【図８】図７の単管パイプ照明具の要部拡大断面図である。
【図９】図７の単管パイプ照明具の断面図である。
【図１０】第２実施形態の単管パイプ照明ユニットの底面図である。
【図１１】図１０の単管パイプ照明ユニットの内部機構を省略した断面図である。
【図１２】第３実施形態の単管パイプ照明ユニットの底面図である。
【図１３】第４実施形態の単管パイプ照明ユニットの底面図である。
【図１４】図１３の単管パイプ照明ユニットの中央部付近の内部機構を省略した要部拡大断面図である。
【発明を実施するための形態】
【００２３】
以下、本発明の実施形態を図面に基づいて説明する。
第１実施形態の単管パイプ照明ユニット１は、図１〜図６に示すように、単管パイプ２と、ＬＥＤ（発光ダイオード）蛍光灯３と、二つのソケット４を備えている。
【００２４】
単管パイプ２は、ソーラーパネルの架台や単管足場等の資材として使用可能な鋼管である。単管パイプ２の長さは数十〜数百ｃｍ程度、直径は数十ｍｍ程度、厚さは数ｍｍ程度が適当であるが、単管パイプ２の長さ、直径、厚さ等は特に限定されるものではなく、必要に応じて適宜変更可能である。
【００２５】
ＬＥＤ蛍光灯３は、単管パイプ２内に挿入され、単管パイプ２の内周面に両面テープ（図示せず）を介して固定されている。なお、単管パイプ２に対するＬＥＤ蛍光灯３の固定手段は特に限定されるものではなく、ＬＥＤ蛍光灯３を単管パイプ２の内周面に接着剤等を介して固定してもよい。
【００２６】
ソケット４は、ＬＥＤ蛍光灯３の両端部にそれぞれ着脱自在に装着されている。各ソケット４には、それぞれ電源コード（図示せず）が電気的に接続されている。単管パイプ２におけるＬＥＤ蛍光灯３の外側には、ＬＥＤ蛍光灯３から発した光が通過する照明孔５が設けられている。
【００２７】
なお、照明部材の構成は特に限定されるものではなく、両端部にそれぞれソケット４が着脱自在に装着された蛍光灯等であってもよい。但し、本実施形態のように、照明部材として、両端部にそれぞれソケット４が着脱自在に装着されたＬＥＤ蛍光灯３を採用すれば、低消費電力化、高輝度化、長寿命化、及び低発熱化を図ることができるという利点がある。
【００２８】
また、照明部材が防水性を有していれば、単管パイプ照明ユニット１を建物の内側の他、建物の外側にも設置できるという利点がある。防水性を有する照明部材としては、例えば、両端部にそれぞれ防水ソケットが着脱自在に装着されたＬＥＤ蛍光灯３や、両端部にそれぞれ防水ソケットが着脱自在に装着された蛍光灯等が挙げられる。
【００２９】
上記のように構成された単管パイプ照明ユニット１によれば、比較的安価な単管パイプ２の内周面に照明部材が固定されているので、コストダウンを図ることができると共に、地震発生時でも照明部材が単管パイプ２から落下するおそれがなく、安全であるという利点がある。
【００３０】
次に、複数の単管パイプ照明ユニット１を用いた単管パイプ照明具１１について説明する。
単管パイプ照明具１１は、図７〜図９に示すように、複数の単管パイプ照明ユニット１を、複数の連結部材１２、１３、１４を介して連結したものである。
【００３１】
単管パイプ照明具１１においては、連結部材１２を介して二つの単管パイプ照明ユニット１がＬ字状に連結され、連結部材１３を介して三つの単管パイプ照明ユニット１がＴ字状に連結され、連結部材１４を介して四つの単管パイプ照明ユニット１が十字状に連結されている。
【００３２】
なお、単管パイプ照明具１１の形状、連結部材１２、１３、１４の構成、連結部材１２、１３、１４の使用数、単管パイプ照明ユニット１の使用数等は特に限定されるものではなく、必要に応じて適宜変更可能である。また、従来公知の適宜の連結部材を介し、二つの単管パイプ照明ユニット１を直線状（Ｉ字状）に連結したり、三つ以上の単管パイプ照明ユニット１を放射状に連結したりしてもよい。更に、単管パイプ照明具１１においては、本実施形態のように、単管パイプ照明ユニット１の端部に連結部材１２、１３、１４を連結していない部分があってもよく、その場合には、連結部材１２、１３、１４が連結されていない単管パイプ照明ユニット１の端部に従来公知の適宜のキャップ１５を装着してもよい。
【００３３】
上記のように構成された単管パイプ照明具１１によれば、単管パイプ照明ユニット１が有する上記の利点に加え、複数の単管パイプ照明ユニット１を、少なくとも一つの連結部材１２、１３、１４を介して連結することにより、所望の形状に形成できるという利点がある。
【００３４】
ここで、照明部材が防水性を有する複数の単管パイプ照明ユニットを用いた単管パイプ照明具であれば、単管パイプ照明具を建物の内側の他、建物の外側にも設置できるという利点がある。
【００３５】
次に、単管パイプ照明具１１の取付構造について説明する。
単管パイプ照明具１１の取付構造は、図７〜図９に示すように、単管パイプ照明具１１を、複数の支持部材１６を介して建物の天井（建物の内側）１７に取り付けたものである。
【００３６】
建物の内側としては、天井１７の他、内壁、床、梁、柱等が挙げられる。なお、支持部材１６の構成、使用数、位置等は特に限定されるものではなく、必要に応じて適宜変更可能である。また、照明部材が防水性を有する複数の単管パイプ照明ユニットを用いた単管パイプ照明具を採用してもよい。
【００３７】
上記のように構成された単管パイプ照明具１１の取付構造によれば、所望の形状に形成した単管パイプ照明具１１を建物の内側に設置できるという利点がある。
【００３８】
ここで、照明部材が防水性を有する複数の単管パイプ照明ユニットを用いた単管パイプ照明具を、少なくとも一つの支持部材１６を介して建物の外側に取り付けておけば、所望の形状に形成した単管パイプ照明具を建物の外側に設置できるという利点がある。建物の外側としては、外壁、屋根、バルコニー、屋上、玄関ひさし等が挙げられる。
【００３９】
次に、単管パイプ照明ユニット１の取付構造について説明する。
単管パイプ照明ユニット１の取付構造は、図示しないが、単管パイプ照明ユニット１を、少なくとも一つの支持部材１６を介して建物の内側に取り付けたものである。
【００４０】
上記のように構成された単管パイプ照明ユニット１の取付構造によれば、単管パイプ照明ユニット１を建物の内側に設置できるという利点がある。
【００４１】
なお、照明部材が防水性を有する単管パイプ照明ユニットを採用してもよい。ここで、照明部材が防水性を有する単管パイプ照明ユニットを、少なくとも一つの支持部材１６を介して建物の外側に取り付けておけば、単管パイプ照明ユニットを建物の外側に設置できるという利点がある。
【００４２】
第２実施形態の単管パイプ照明ユニット２１は、図１０及び図１１に示すように、第１実施形態よりも、照明孔５の幅を狭くしたものである。
【００４３】
このように、照明孔５の形状やサイズは特に限定されるものではなく、必要に応じて適宜変更可能である。
【００４４】
第３実施形態の単管パイプ照明ユニット３１は、図１２に示すように、第１実施形態において、単管パイプ２におけるＬＥＤ蛍光灯３の外側に八つの照明孔５を設けたものである。
【００４５】
このように、照明孔５の数も特に限定されるものではなく、必要に応じて七つ以下又は九つ以上としてもよい。
【００４６】
第４実施形態の単管パイプ照明ユニット４１は、図１３及び図１４に示すように、第１実施形態において、単管パイプ２の内周面に、両端部にそれぞれソケット４が着脱自在に装着された二つのＬＥＤ蛍光灯３を固定すると共に、単管パイプ２におけるＬＥＤ蛍光灯３の外側に二つの照明孔５を設けたものである。
【００４７】
このように、照明部材の数も特に限定されるものではなく、必要に応じて二つ以上としてもよい。
【００４８】
なお、第２〜第４実施形態の単管パイプ照明ユニット２１、３１、４１においては、第１実施形態と同様に、照明部材が防水性を有するものを採用してもよい。また、既述の単管パイプ照明具１１、単管パイプ照明具１１の取付構造、単管パイプ照明ユニット１の取付構造においては、第１実施形態の単管パイプ照明ユニット１の代わりに、第２〜第４実施形態のいずれかの単管パイプ照明ユニット２１、３１、又は４１や、その構成中の照明部材が防水性を有する単管パイプ照明ユニットを採用してもよい。
【産業上の利用可能性】
【００４９】
以上のように、本発明の単管パイプ照明ユニット、単管パイプ照明具、及びそれらの取付構造は、コストダウンを図ることができると共に、地震発生時でも安全な照明手段として有用である。
【符号の説明】
【００５０】
１、２１、３１、４１  単管パイプ照明ユニット
２  単管パイプ
３  ＬＥＤ蛍光灯
４  ソケット
５  照明孔
１１  単管パイプ照明具
１２、１３、１４  連結部材
１６  支持部材
１７  建物の天井（建物の内側）
【図１】
2016024910.tif 000003
【図２】
2016024910.tif 000004
【図３】
2016024910.tif 000005
【図４】
2016024910.tif 000006
【図５】
2016024910.tif 000007
【図６】
2016024910.tif 000008
【図７】
2016024910.tif 000009
【図８】
2016024910.tif 000010
【図９】
2016024910.tif 000011
【図１０】
2016024910.tif 000012
【図１１】
2016024910.tif 000013
【図１２】
2016024910.tif 000014
【図１３】
2016024910.tif 000015
【図１４】
2016024910.tif 000016